【手続補正書】
【提出日】平成28年6月2日(2016.6.2)
【手続補正１】
【補正対象書類名】特許請求の範囲
【補正対象項目名】全文
【補正方法】変更
【補正の内容】
【特許請求の範囲】
【請求項１】
カテーテル機器において、
第１ルーメン及び第２ルーメンを画定しているカテーテルシャフトと、
前記第１ルーメンと流体連通する近位ポートであって、当該近位ポートを通って伸長した細長い装置の周りを封止することができる弾性弁部材を一体に関連付けて有している近位ポートと、
前記第１ルーメンの中の流体圧力を測定することができるセンサーと、
前記第１ルーメンと流体連通する遠位ポートであって、患者の血管の内に配置することができて前記血管の中に配置されたときに圧力の掛けられた血液を受け入れるように構成されている遠位ポートと、
前記カテーテルシャフト上に搭載されている膨張式バルーンであって、前記第２ルーメンと流体連通する内側空隙を有している膨張式バルーンと、
前記第２ルーメンと流体連通する近位膨張ポート、とを備えているカテーテル機器。
【請求項２】
前記センサーは、前記第１ルーメン内の場所からの流体圧力を感知するように配置されている、請求項１に記載のカテーテル機器。
【請求項３】
前記センサーは、前記遠位ポートに起こる流体圧力を指示する前記第１ルーメンの中の流体圧力を測定することができる、請求項１に記載のカテーテル機器。
【請求項４】
前記カテーテル機器は前記近位ポートを画定しているハブ部材を備えており、前記センサーは前記ハブ上に搭載されている、請求項１から３の何れか１項に記載のカテーテル機器。
【請求項５】
前記第１ルーメンを通って同軸に延びる装置シャフトを有する、同軸に受け入れられている装置を更に備えている、請求項１から４の何れか１項に記載のカテーテル機器。
【請求項６】
前記同軸に受け入れられている装置はカテーテル又はガイドワイヤである、請求項５に記載のカテーテル機器。
【請求項７】
前記同軸に受け入れられている装置は、注入ルーメンを有する注入カテーテルである、請求項１から６の何れか１項に記載のカテーテル機器。
【請求項８】
前記注入カテーテルは、前記注入ルーメンと流体連通する近位ポートを有していて、当該注入ルーメンの当該近位ポートへ押し込まれる流体の圧力を測定することができるセンサーを更に備えている、請求項７に記載のカテーテル機器。
【請求項９】
圧力の掛けられた液体培地の注入に有用なカテーテルシステムにおいて、
第１ルーメン及び第２ルーメンを画定する第１カテーテルシャフトを有している第１カテーテルであって、前記第１ルーメンは第１ルーメン近位ポート及び第１ルーメン遠位ポートと流体連通しており、当該第１カテーテルは、前記第１カテーテルシャフト上に搭載されている膨張式バルーンと、前記第１カテーテルシャフトによって画定されていて近位膨張ポートから前記膨張式バルーンの内側空隙と流体連通する遠位ポートまで延びる注入ルーメンと、を含んでいる、第１カテーテルと、
前記第１ルーメン遠位ポートが患者の血管の中に配置されているときに、前記第１ルーメンの中に生成される流体圧力を測定することができる第１センサーと、
第２カテーテルルーメンを画定する第２カテーテルシャフトを有している第２カテーテルであって、前記第２カテーテルシャフトは前記第１カテーテルの前記第１ルーメンを通って同軸に受け入れ可能である、第２カテーテルと、
前記第２カテーテルルーメンへ押し込まれる液体の圧力を測定することができる第２センサーと、を備えているカテーテルシステム。
【請求項１０】
前記第２カテーテルルーメンと流体連通していて圧力の掛けられた流体を当該第２カテーテルルーメンへ押し込むことができる液体入力装置を更に備えている、請求項９に記載のカテーテルシステム。
【請求項１１】
前記第２センサーは、前記液体入力装置と前記第２カテーテルルーメンの間に配置されている、請求項９又は１０に記載のカテーテルシステム。
【請求項１２】
前記第２カテーテルは、前記第２カテーテルシャフト上に搭載されている膨張式バルーンを含んでいる、請求項９から１１の何れか１項に記載のカテーテルシステム。
【請求項１３】
前記第１カテーテルと前記第２カテーテルの一方又は両方は、設定された湾曲状態を有する遠位部分を含んでいる、請求項９から１２の何れか１項に記載のカテーテルシステム。
【請求項１４】
カテーテルシステムにおいて、
第１ルーメンを画定する第１カテーテルシャフトを有している第１カテーテルであって、前記第１ルーメンは第１ルーメン近位ポート及び第１ルーメン遠位ポートと流体連通しており、当該第１カテーテルは、前記第１ルーメン遠位ポートより近位の前記第１カテーテルシャフト上に搭載されている膨張式バルーンを含んでおり、前記第１カテーテルシャフトは、更に、近位ポートから前記膨張式バルーンの内側空隙と流体連通する遠位ポートまで延びる第２ルーメンを画定している、第１カテーテルと、
ルーメンを画定する第２カテーテルシャフトを有している第２カテーテルであって、前記第２カテーテルシャフトは前記第１カテーテルの前記第１ルーメンを通って同軸に回転可能な様式で受け入れ可能であり、当該第２カテーテルは、前記第２カテーテルシャフトの長手方向軸から約３度乃至９０度の角度にオフセットしている設定された湾曲状態を有する遠位先端領域を含んでいる、第２カテーテルと、を備えているカテーテルシステム。
【請求項１５】
前記第１カテーテルは、設定された湾曲状態を有する遠位先端領域を更に有している、請求項１４に記載のカテーテルシステム。
【請求項１６】
前記第１カテーテルの前記遠位先端領域は、前記第１カテーテルシャフトの長手方向軸から約３度乃至約９０度の角度にオフセットしている、請求項１５に記載のカテーテルシステム。
【請求項１７】
前記第２カテーテルシャフトは、前記第２カテーテルの前記遠位先端領域の近くに終端する金属編組を備えている、請求項１４から１６の何れか１項に記載のカテーテルシステム。
【請求項１８】
前記第２カテーテルは、前記第２カテーテルシャフト上に搭載されている膨張式バルーンを更に含んでいる、請求項１４から１７の何れか１項に記載のカテーテルシステム。
【請求項１９】
前記第２カテーテルの前記ルーメンを通って受け入れ可能なワイヤガイドを更に含んでいる、請求項１４から１８の何れか１項に記載のカテーテルシステム。
【請求項２０】
前記ワイヤガイドはルーメンを画定している、請求項１９に記載のカテーテルシステム。
【請求項２１】
前記ワイヤガイドは、当該ワイヤガイドのシャフト上に搭載されている膨張式バルーンを含んでいる、請求項１９又は２０に記載のカテーテルシステム。
【請求項２２】
流動性治療物質の身体通路への送達のためのマイクロカテーテルにおいて、
約１ｍｍ又はそれ以下の外径を有するカテーテルシャフトと、
前記カテーテルシャフトの遠位部分上に搭載されている膨張式バルーンであって、前記カテーテルシャフトと共に外カテーテルのルーメンを通して受け入れ可能である膨張式バルーンと、
前記膨張式バルーンを膨らませるための、前記カテーテルシャフトを通って延びる膨張ルーメンと、
前記膨張式バルーンの遠位に存在する、前記カテーテルシャフトの遠位領域の少なくとも１つのポートまで当該カテーテルシャフトを貫いて延びる流体送達ルーメンと、
次のもののうちの１つであって、即ち、
（ａ）前記カテーテルシャフトの前記遠位領域上に搭載されている超音波放射要素、
（ｂ）前記カテーテルシャフトの前記遠位領域の設定湾曲部、及び、
（ｃ）前記流体送達ルーメンと流体連通する複数の側壁ポートを含む前記少なくとも１つのポート、のうちの１つと、を備えているマイクロカテーテル。
【請求項２３】
（ａ）前記カテーテルシャフトの前記遠位領域上に搭載されている超音波放射要素と（ｂ）前記カテーテルシャフトの前記遠位領域の設定湾曲部の両方を含んでいる、請求項２２に記載のマイクロカテーテル。
【請求項２４】
（ａ）前記カテーテルシャフトの前記遠位領域上に搭載されている超音波放射要素と（ｃ）前記流体送達ルーメンと流体連通する複数の側壁ポートを含む前記少なくとも１つのポートの両方を含んでいる、請求項２２に記載のマイクロカテーテル。
【請求項２５】
（ｂ）前記カテーテルシャフトの前記遠位領域の設定湾曲部と（ｃ）前記流体送達ルーメンと流体連通する複数の側壁ポートを含む前記少なくとも１つのポートの両方を含んでいる、請求項２２に記載のマイクロカテーテル。
【請求項２６】
前記マイクロカテーテルを回転可能に通して受け入れることのできるルーメンを有する第２カテーテルと組み合わされている、請求項２２から２５の何れかに記載のマイクロカテーテル。
【請求項２７】
前記第２カテーテルはバルーンカテーテルである、請求項２６に記載のマイクロカテーテル。
【請求項２８】
前記流体送達ルーメンの中へ押し込まれる流体の圧力を測定することができる圧力センサーと組み合わされている、請求項２２から２７の何れか１項に記載のマイクロカテーテル。